(57)【要約】【課題】チューナブルフィルタとキャンセラを組み合わせたチューナブル対応のデュプレクサにおいて、通過帯域特性や阻止帯域特性を最適化するためのキャリブレーションを高速化し、ばらつきによる性能劣化を高精度で補償する。【解決手段】チューナブルフィルタのキャリブレーションを行ってアイソレーション特性を取得した後に、キャンセラに対して粗いキャリブレーションと詳細キャリブレーションを行う。粗いキャリブレーションでは、チューナブルフィルタを利用Band帯域が抑圧帯域になるように設定してキャンセラのアイソレーション特性を取得し、前記取得したチューナブルフィルタのアイソレーション特性と比較した結果に基づき振幅調整、位相調整、バイアス電圧調整を行い、おおよその収束点を捉える。さらに、詳細キャリブレーションを行い、収束点付近の狭い範囲で最適点を求める。【選択図】図１
2013128161.tif 000002
【特許請求の範囲】
【請求項１】
送信周波数と受信周波数はそれぞれ異なる帯域を使用して、送受信同時動作を行う移動通信端末用モジュールであって、
送信信号と受信信号を分離し、複数の周波数バンドを選択的に通過させる可変特性を有するフィルタと、
送信側から受信側に漏れこむ送信信号および受信帯域の熱雑音を所定量キャンセルするキャンセラを備え、
前記キャンセラはキャリブレーション部を有する増幅器を備え、
前記キャリブレーション部は振幅調整部、位相調整部、バイアス調整部を備えることを特徴とする移動通信端末用モジュール。
【請求項２】
請求項１に記載の移動通信端末用モジュールであって、
前記キャリブレーション部は、送信側から受信側に漏れこむ送信信号および受信帯域の熱雑音を所定量キャンセルするためのキャリブレーション動作を複数ステップ行い、粗いキャリブレーションを行った後、詳細キャリブレーションを行うことを特徴とする移動通信端末用モジュール。
【請求項３】
請求項２に記載の移動通信端末用モジュールであって、
前記粗いキャリブレーション時には、前記フィルタと前記キャンセラの各々の振幅特性と位相特性を取得して求めた振幅差と位相差に基づき、前記キャリブレーション部は、振幅調整部、位相調整部、バイアス調整部を調整することを特徴とする移動通信端末用モジュール。
【請求項４】
請求項３に記載の移動通信端末用モジュールであって、
前記詳細キャリブレーション時には、前記キャリブレーション部は、前記振幅調整部、位相調整部、バイアス調整部を前記粗いキャリブレーションで求めた収束点の近傍で調整することを特徴とする移動通信端末用モジュール。
【請求項５】
送信周波数と受信周波数はそれぞれ異なる帯域を使用して、送受信同時動作を行う移動通信端末であって、
送信信号と受信信号を分離し、複数の周波数バンドを選択的に通過させる可変特性を有するフィルタと、
送信側から受信側に漏れこむ送信信号および受信帯域の熱雑音を所定量キャンセルするキャンセラを備え、
前記キャンセラはキャリブレーション部を有する増幅器を備え、
前記キャリブレーション部は振幅調整部、位相調整部、バイアス調整部を備え、
前記キャリブレーション部は、送信側から受信側に漏れこむ送信信号および受信帯域の熱雑音を所定量キャンセルするためのキャリブレーション動作を複数ステップ行い、粗いキャリブレーションを行った後、詳細キャリブレーションを行うことを特徴とする移動通信端末。
【請求項６】
請求項５に記載の移動通信端末であって、
前記粗いキャリブレーション時には、前記フィルタと前記キャンセラの各々の振幅特性と位相特性を取得して求めた振幅差と位相差に基づき、前記キャリブレーション部は、振幅調整部、位相調整部、バイアス調整部を調整し、
前記詳細キャリブレーション時には、前記振幅調整部、位相調整部、バイアス調整部を前記粗いキャリブレーションで求めた収束点の近傍で調整することを特徴とする移動通信端末。
【発明の詳細な説明】
【技術分野】
【０００１】
本発明は移動通信端末用モジュール、及び移動通信端末に関する。特に、例えばWCDMA（Wideband Code Division Multiple Access）方式やLTE（Long Term Evolution）方式等のワイヤレス通信システムに対応した移動通信端末用モジュール、及び移動通信端末に関する。
【背景技術】
【０００２】
携帯電話では既に実用化されているWCDMA方式の他、LTE方式の検討が進められている。WCDMA方式やLTE方式は送受信同時動作のため、送信周波数と受信周波数はそれぞれ異なる帯域を使用している。これらの方式においては送受信帯域を分離するデュプレクサが用いられる。
【０００３】
非特許文献１にはデュプレクサの帯域外抑圧不足を補うため、受信帯域の熱雑音をキャンセルする方法の記載がある。送信信号はノッチフィルタを用いて除去される。また、送信回路が発生する受信帯域の熱雑音は振幅と位相が調整された後、デュプレクサとアンテナ端の間で送受信信号と合成されて除去される。これによって送信信号に与える影響を小さく抑えながら、受信帯域の熱雑音をキャンセルしている。
【０００４】
WCDMA方式やLTE方式は複数の周波数Bandおよび同一Band内に複数のチャンネルがあり、良好な高周波特性を得るために、携帯電話用フロントエンドモジュール内にはそれぞれの周波数Bandごとにデュプレクサを備えている。更にLTE方式は、高速化を実現するMIMO(Multiple Input Multiple Output)技術を採用しているため、受信回路はアンテナの数だけ必要となる。よって今後の高速化に伴う受信回路規模増大が予想されるため、特許文献１にあるように、デュプレクサをチューナブルに切り替える技術が必要とされる。
【０００５】
特許文献１には、デュプレクサをチューナブルに切り替えるためのチューナブルフィルタ技術とキャンセラ技術の記載がある。複数の周波数バンドを選択的に通過させる可変特性を有するチューナブルフィルタの帯域外信号抑圧量不足を補償する技術としてキャンセラ技術がある。キャンセラは、チューナブルフィルタから出力される受信信号に含まれる送信信号の漏洩成分と受信帯域の熱雑音の漏洩成分をキャンセルする。
【０００６】
特許文献２には、上記キャンセラはチューナブルフィルタと同等の特性を示すフィルタを備えることによって、キャンセル量を高精度で確保できるという記載がある。送信信号の漏洩成分と受信帯域の熱雑音を１系統のキャンセラで減衰させる手法と、２系統のキャンセラを備えて送信信号の漏洩成分と受信帯域の熱雑音を別々に減衰させる手法がある。
【０００７】
特許文献３には、上記キャンセラはチューナブルフィルタと同等の特性を示すフィルタ、振幅・位相・遅延を調整するマッチング回路、送信信号の周波数帯域から受信信号の帯域に渡って振幅変動と位相変動が緩やかな広帯域増幅器、可変インピーダンス送信側結合器および可変インピーダンス受信側結合器を備え、チューナブルフィルタの信号経路に広帯域増幅器の群遅延に相当する遅延素子を備えることによって、キャンセル量を高精度で確保できるという記載がある。送信信号の漏洩成分と受信帯域の熱雑音を１系統のキャンセラで減衰させる手法と、２系統のキャンセラを備えて送信信号の漏洩成分と受信帯域の熱雑音を別々に減衰させる手法がある。
【０００８】
特許文献４には、上記キャンセラとチューナブルフィルタを端末に用いる時に好適なキャリブレーション技術や制御方法についての記載がある。端末の送信系からのキャリブレーション用信号と受信系の電力検出器を用いてキャンセラやチューナブルフィルタの通過帯域特性や阻止帯域特性などの性能を最適値に合わせるキャリブレーションを行い、キャリブレーションデータを保持して実動作時にデータを読み出すことで良好な送受信特性を実現する。チューナブルフィルタは、通過帯域特性と阻止帯域特性のキャリブレーションを個別に実施することで最適化を図り、キャンセラは、阻止帯域周波数と阻止帯域の減衰量のキャリブレーションを個別に実施することで最適化を図っている。
【先行技術文献】
【特許文献】
【０００９】
【特許文献１】特開２０１１−１２０１２０号公報
【特許文献２】特願２０１０−２３３６０７号
【特許文献３】特願２０１０−２８７７５６号
【特許文献４】特願２０１１−１２３５４１号
【非特許文献】
【００１０】
【非特許文献１】Adaptive Duplexer Implemented Using Single−Path and Multipath Feedforward Techniques With BST Phase Shifters, IEEE TRANSACTIONS ON MICROWAVE THEORY AND TECHNIQUES, VOL. 53, NO. 1, JANUARY 2005
【非特許文献２】3GPP TS25.101 V8.9.0 (2009−12)
【非特許文献３】3GPP TS36.211 V8.9.0 (2009−12)
【発明の概要】
【発明が解決しようとする課題】
【００１１】
チューナブルフィルタのTx(送信)−Rx(受信)間アイソレーション特性は、一般的なデュプレクサに対して劣るが、チューナブルフィルタとキャンセラを組み合わせたチューナブル対応のデュプレクサは、一般的なデュプレクサと同等以上の特性を示す。しかしながら、素子・電源電圧・温度によるばらつきが発生した場合にはキャンセラの性能が劣化するといった課題がある。またキャリブレーションにより、通過帯域特性や阻止帯域特性などの性能を最適化できるが、振幅や位相などの最適化には時間を要するといった課題がある。
そこで本発明はチューナブルフィルタにおいて、キャリブレーションを高速化し、ばらつきによる性能劣化を高精度で補償しつつ、複数の周波数Bandに対応することを目的とする。
【課題を解決するための手段】
【００１２】
上記課題を解決するため本発明は、送信周波数と受信周波数はそれぞれ異なる帯域を使用して、送受信同時動作を行う移動通信端末用モジュールであって、送信信号と受信信号を分離し、複数の周波数バンドを選択的に通過させる可変特性を有するフィルタと、送信側から受信側に漏れこむ送信信号および受信帯域の熱雑音を所定量キャンセルするキャンセラを備え、前記キャンセラはキャリブレーション部を有する増幅器を備え、前記キャリブレーション部は振幅調整部、位相調整部、バイアス調整部を備えることを特徴としている。
【００１３】
また本発明は、送信周波数と受信周波数はそれぞれ異なる帯域を使用して、送受信同時動作を行う移動通信端末であって、送信信号と受信信号を分離し、複数の周波数バンドを選択的に通過させる可変特性を有するフィルタと、送信側から受信側に漏れこむ送信信号および受信帯域の熱雑音を所定量キャンセルするキャンセラを備え、前記キャンセラはキャリブレーション部を有する増幅器を備え、前記キャリブレーション部は振幅調整部、位相調整部、バイアス調整部を備え、前記キャリブレーション部は、送信側から受信側に漏れこむ送信信号および受信帯域の熱雑音を所定量キャンセルするためのキャリブレーション動作を複数ステップ行い、粗いキャリブレーションを行った後、詳細キャリブレーションを行うことを特徴としている。
【発明の効果】
【００１４】
本発明によれば、キャリブレーションを高速化し、ばらつきによる性能劣化を高精度で補償することができ、移動通信端末用モジュール及びそれを用いた移動通信端末の基本性能を向上させることができるという効果がある。
【図面の簡単な説明】
【００１５】
【図１】第１の実施例における移動通信端末用モジュールの構成例を示すブロック図である。
【図２】第１の実施例におけるキャリブレーション部を備えた増幅器の回路図である。
【図３】第１の実施例におけるキャリブレーションのフローチャートである。
【図４】第１の実施例におけるBand18の特性を示す図である。
【図５】第１の実施例におけるBand5の特性を示す図である。
【図６】第１の実施例におけるBand8の特性を示す図である。
【図７】第１の実施例におけるBand18のキャリブレーション実施前の特性を示す図である。
【図８】第１の実施例におけるBand18のチューナブルフィルタのTx−Rx間アイソレーション特性と、キャンセラのTx−Rx間アイソレーション特性を示す図である。
【図９】第１の実施例におけるBand18のキャリブレーション実施後の特性を示す図である。
【図１０】第１の実施例における移動通信端末の構成例を示すブロック図である。
【図１１】第２の実施例における移動通信端末用モジュールの構成例を示すブロック図である。
【図１２】第３の実施例における移動通信端末用モジュールの構成例を示すブロック図である。
【発明を実施するための形態】
【００１６】
以下、本発明の実施の形態について説明する。
【実施例１】
【００１７】
図１は、第１の実施例における移動通信端末用モジュールの構成例を示すブロック図である。本実施例の構成は、例えばWCDMA方式やLTE方式の移動通信端末用モジュールを対象としているが、送信周波数と受信周波数にそれぞれ異なる帯域を割り当てて送受信同時動作する移動通信端末用モジュールであれば、これに限定されるものではない。
【００１８】
まず送信信号と受信信号の流れを説明する。チューナブルフィルタ３はTxフィルタ３２、Rxフィルタ３１で構成され、アンテナSW(switch)２、PA(Power Amplifier)６２を含む送信系、LNA(Low Noise Amplifier)６１を含む受信系に接続される。RFIC６から出力される送信信号は、PA６２に入力され、所望の信号レベルまで増幅された後、キャンセラ８内の送信側結合器８９、遅延素子１０を通過してチューナブルフィルタ３に入力される。チューナブルフィルタ３内のTxフィルタ３２では受信帯域の熱雑音は抑圧され、送信信号は低損失で通過する。チューナブルフィルタ３より出力された送信信号はアンテナSW２を経由し、アンテナ１より外部へ放射される。
【００１９】
一方、受信信号はアンテナ１より入力され、アンテナSW２を経由してチューナブルフィルタ３に入力される。チューナブルフィルタ３内のRxフィルタ３１では、送信信号の漏れ込みは抑圧され、受信信号は低損失で通過する。チューナブルフィルタ３より出力された受信信号は、遅延素子１１、キャンセラ８内の受信側結合器８０、LNA(Low Noise Amplifier)６１を通過してRFIC６に入力される。
【００２０】
一般的なデュプレクサは受信側において送信信号を約50dBほど抑圧するため、非特許文献２に記載のレベルのOut of band blockingをアンテナ１で受信しても、目的とする受信信号を劣化させる影響は少ない。一般的なデュプレクサをチューナブルデュプレクサモジュール７で置き換える場合、チューナブルデュプレクサモジュール７は、チューナブルフィルタ３、キャンセラ８、遅延素子１０、遅延素子１１および制御部５で構成される。
【００２１】
移動通信端末が送受信を開始する前に、移動通信端末用モジュール内では、所定のキャンセル量を確保するためにキャリブレーションを実施する。その際に素子の製造ばらつき、電源電圧変動、温度変化等によって、例えば、受信回路へ漏洩する送信信号の漏洩成分に対するキャンセル量が20dB以上となったとしても、送信回路が発生する受信帯域の熱雑音の漏洩成分に対するキャンセル量が20dB以下となる可能性がある。
【００２２】
そこでデュプレクサのチューナブル化に伴い、チューナブルフィルタ３における抑圧量が例えば約30dBとなり、一般的なデュプレクサのTx−Rx間アイソレーション約50dBに対して不足する場合、制御部５は、キャンセラ８が送信信号の漏洩成分と熱雑音の漏洩成分をそれぞれ約20dBキャンセルするように振幅、位相、バイアス電圧を調整する。この場合の調整とは、例えば送信信号をキャンセルする場合には、送信側結合器８９から引き込んだPA６２出力信号を用いて送信信号と同一振幅、逆位相となる信号を生成することである。そのため、キャンセラ８はPA６２の出力信号を引き込む送信側結合器８９、送信信号を所定のレベルまで減衰させるRxフィルタ８７、キャリブレーション部を備えた増幅器８０００、受信帯域の熱雑音を所定のレベルまで減衰させるTxフィルタ８１、チューナブルフィルタ３の出力側に接続される受信側結合器８０により構成される。
【００２３】
尚、制御部５はチューナブルデュプレクサモジュール７内にあり、制御に必要な情報をRFIC６とやりとりしているが、RFIC６内に備えても良い。
またチューナブルフィルタ３の信号経路に設けた遅延素子１０および遅延素子１１の構成は、チューナブルフィルタ３の信号経路とキャンセラ８の信号経路の時間差より決まる。キャリブレーション部を備えた増幅器８０００の群遅延が主な時間差の要因となるため、その時間差を配線パターン等で発生させると良い。
また配線パターンによる損失の発生が見込まれるため、送信系に遅延素子１０、受信系に遅延素子１１を配置しているが、送信系のみ、あるいは受信系のみに配置しても良い。
またチューナブルフィルタ３の抑圧量(約30dB)とキャンセラ８のキャンセル量(約20dB)は一例であって、これに限定されるものではない。
【００２４】
以下にキャンセラ８を構成するブロックについて詳細に説明する。
送信側結合器８９は送信系に対して疎結合にすることによって、例えば約10dB減衰した送信信号と受信帯域の熱雑音をキャンセラ８内に引き込んでいる。一方、受信側結合器８０は受信系に対して疎結合にすることによって、振幅および位相が調整された送信信号と受信帯域の熱雑音を例えば約10dB減衰させた後に、チューナブルフィルタ３の出力の受信信号と合成する。Rxフィルタ８７では送信信号が例えば約30dB減衰され、Txフィルタ８１では受信帯域の熱雑音が例えば約30dB減衰される。
【００２５】
受信側結合器８０にて送信信号と受信帯域の熱雑音をキャンセルするため、キャリブレーション部を備えた増幅器８０００は、送信側結合器８９と受信側結合器８０において、それぞれ約10dB減衰した分を補償するために約20dBの利得を必要とする。また引き込んだ送信信号と同一振幅、逆位相となる信号を精度良く生成するため、入力端にマッチング部８６、出力端にマッチング部８２を備え、振幅調整部８５、位相調整部８４、バイアス調整部８３を備える。振幅調整部８５、位相調整部８４、バイアス調整部８３の順番については一例であって、これに限定されるものではない。また受信側結合器８０の結合度による約10dBの減衰、送信側結合器８９の結合度による約10dBの減衰、それらの減衰分を補償するための増幅器８０００における約20dBの利得は一例であって、これに限定されるものではない。
【００２６】
図２は、第１の実施例におけるキャリブレーション部を備えた増幅器の回路図である。マッチング部８１０１とマッチング部８１０４は、インダクタ、キャパシタをはじめとする受動素子で構成されることが多い。振幅調整部８１０３は、例えばキャパシタ、抵抗をはじめとする受動素子と半導体スイッチで構成され、抵抗を変化することによって振幅を調整する。位相調整部８１０２と位相調整部８１０５は、例えばキャパシタと半導体スイッチで構成され、容量を変化することによって位相を調整する。バイアス調整部８１０６とバイアス調整部８１０７は、例えばバンドギャップリファレンス回路および電流源によって構成され、ＭＯＳトランジスタ８１０９、８１１０のドレイン電流が最適値になるようにバイアス電圧を調整する。インダクタ８１０８とインダクタ８１１１はそれぞれ、入力側の負荷用素子とマッチング用素子に相当する。
【００２７】
図３は、第１の実施例におけるキャリブレーションのフローチャートである。これを用いて、チューナブルデュプレクサモジュール７のキャリブレーションについて以下に説明する。ここでは、特にキャンセラ８のキャリブレーションを行う（Ａ１１０）以下のステップに重点を置いて説明するが、その前に行われるチューナブルフィルタ３のキャリブレーションから説明を始めることにより、全体的なフローについても記述する。
【００２８】
開始(Ａ１０１)にあたって、まずはチューナブルフィルタ３のキャリブレーションを実施するため、キャンセラ８の電源をOFFする(Ａ１０２)。続いて制御部５はTxフィルタ３２の利用周波数Band設定(Ａ１０３)とRxフィルタ３１の利用周波数Band設定(Ａ１０４)を行うため、チューナブルフィルタ３に内蔵された周波数Band切替部を調整する。周波数Band切替部とは例えばBand切り替えのためのキャパシタを、スイッチを用いて切り替える構成要素であって、そのキャパシタやスイッチのばらつきを補償する仕組みも備える。また調整は、例えばキャンセラ８あるいはRFIC６内のレジスタに格納された周波数Band切替用ビットを読み出し、該切替用ビットに基づき周波数Bandを設定したうえで実施される。
【００２９】
続いて利用周波数Bandに設定されたチューナブルフィルタ３のTx−Rx間アイソレーション特性を取得し、利用周波数Bandの送信帯域と受信帯域のTx−Rx間アイソレーションが共に規定値(a)以上であるか否かの判定を行う(Ａ１０５)。規定値(a)以下である場合、チューナブルフィルタ３は例えば素子のばらつきにより所定の性能を満足しないという判定となるので、規定値(a)以上となるまでTxフィルタ３２のキャリブレーション(Ａ１０６)とRxフィルタ３１のキャリブレーション(Ａ１０７)が実施される。上記キャリブレーションとは周波数Band切替部のキャパシタやスイッチのばらつきの補償に相当する。
【００３０】
キャリブレーションの結果、利用周波数Bandの送信帯域と受信帯域のTx−Rx間アイソレーションが共に規定値(a)以上である場合(Ａ１０８のＹＥＳ)、及び先の（Ａ１０５）でTx−Rx間アイソレーションが共に規定値(a)以上である場合、チューナブルフィルタ３のTx−Rxアイソレーション特性を保存する(Ａ１０９)。保存先は例えばチューナブルデュプレクサモジュール７あるいはRFIC６が備えるメモリ内とすると良い。
【００３１】
ここまでは、チューナブルフィルタ３の単体でのキャリブレーションである。仮にチューナブルフィルタ３の単体で、前記規定値(a)として例えば30dB程度のTx−Rx間アイソレーションが期待されたとする。この際に、ばらつきにより例えば28dBしかない場合、（Ａ１０９）までのフローによりチューナブルフィルタ３は、30dB以上のアイソレーションを得るよう調整される。次の（Ａ１１０）以下のフローではキャンセラ８のキャリブレーションを行い、チューナブルデュプレクサモジュール７が全体として、通信システムで必要とする例えば50dB以上のアイソレーションを得るように調整される。
【００３２】
続いてキャンセラ８のキャリブレーションを実施するため、キャンセラ８の電源をONにする(Ａ１１０)。キャンセラ８内のTxフィルタ８１及びRxフィルタ８７を、それぞれTxフィルタ３２及びRxフィルタ３１と同じ設定になるように周波数Band切替部を調整する(Ａ１１１、Ａ１１２)。続いてキャリブレーション部を備えた増幅器８０００の利用周波数Band設定を行う(Ａ１１３)ため、振幅調整部８５、位相調整部８４、バイアス調整部８３を利用周波数Bandに対して予め設定された特性となるように調整する。
このために制御部５は、キャンセラ８に例えば所定の制御ビットを供給する。予め標準的な特性を有するキャンセラ８を用いて、前記制御ビットを変化させながらTx−Rx間アイソレーションを取得し、目標とする値を得る制御ビットを所定の制御ビットとする。キャンセラ８に特性のばらつきが無ければ、前記所定の制御ビットに応じてキャンセラ８が動作することにより、利用周波数Bandの送信帯域と受信帯域のTx−Rx間アイソレーションが共に目標とする値（前記の例では50dB）以上となる筈である。しかし、実際にはキャンセラ８には特性のばらつきがあるため、必ずしも目標とする値とはならない。
【００３３】
そこで、制御部５は、Ａ１１３で利用周波数Bandに設定されたチューナブルデュプレクサモジュール７のTx−Rx間アイソレーション特性を取得し、利用周波数Bandの送信帯域と受信帯域のTx−Rx間アイソレーションが共に第二の規定値（前記の例では50dB）以上であるか否かの判定を行う(Ａ１１４)。第二の規定値以上である場合、これ以上の調整を必要としないため、このままキャリブレーションを終了する（Ａ１２６）。第二の規定値以下である場合、キャンセラ８はばらつきにより期待した作用をしていないという判定となる。
【００３４】
そこでキャンセラ８のばらつきによる問題を解消するため、キャンセラ８のTx−Rx間アイソレーション特性を取得する。遅延素子１０、チューナブルフィルタ３、遅延素子１１を経由する信号を抑圧してキャンセラ８の単体の特性を測定できるようにするため、まず、チューナブルフィルタ３のTxフィルタ３２の周波数Band切替部を調整し、利用周波数Bandが抑圧帯域になるように設定する(Ａ１１５)。同じくRxフィルタ３１の周波数Band切替部を調整し、利用周波数Bandが抑圧帯域になるように設定する(Ａ１１６)。
【００３５】
続いて利用Band帯域において、キャンセラ８を経て受信側結合器８０に供給される信号が遅延素子１１の出力信号と結合される際に、互いに振幅は同等で、位相は反転することを目標に、まず、キャリブレーション部を備えた増幅器８０００の粗いキャリブレーションを実施する(Ａ１１７)。
【００３６】
粗いキャリブレーションとは、素子の製造ばらつき、電源電圧変動、温度変化等を補償するため、振幅調整部８５、位相調整部８４およびバイアス調整部８３の特性を制御するビットの設定を、例えばチューナブルデュプレクサモジュール７あるいはRFIC６内のレジスタに予め格納された制御ビットから適宜変更しながら、互いに振幅は同等で位相は反転する点を求めるキャリブレーションを意味する。
キャンセラ８の特性を取得する際、Ａ１１５とＡ１１６でTxフィルタ８１３２とRxフィルタ８７３１の利用周波数Bandが抑圧帯域になるように設定されているため、キャンセラ８の単体の振幅特性と位相特性を前記制御ビットの広い範囲で、短時間に測定することができるという特徴がある。
【００３７】
粗いキャリブレーションでは、キャンセラのTx−Rxアイソレーション特性を取得(Ａ１１８)し、先の（Ａ１０９）で保存したチューナブルフィルタ３のTx−Rx間アイソレーション特性と比較し、双方の間の振幅差と位相差を導出する(Ａ１１９)。得られた振幅差および位相差が規定値(b)以下であるか否かの判定を行い(Ａ１２０)、規定値(b)を下回るまで処理Ａ１１７〜Ａ１２０を繰り返し実施する。
【００３８】
規定値(b)以下となった場合には（Ａ１２０のＹＥＳ）、制御部５は、Txフィルタ３２とRxフィルタ３１の特性を、先にＡ１０３とＡ１０４で設定した利用周波数Bandでの設定に戻すよう、周波数Band切替部を調整する（Ａ１２１とＡ１２２）。
続いて粗いキャリブレーションが実施されたチューナブルデュプレクサモジュール７のTx−Rx間アイソレーション特性を取得し、利用周波数Bandの送信帯域と受信帯域のTx−Rx間アイソレーションが共に第一の規定値（前記の例では例えば45dB）以上であるか否かの判定を行う(Ａ１２３)。第一の規定値以下である場合、再びキャリブレーション部を備えた増幅器８０００の粗いキャリブレーションに戻り(Ａ１１７)、第一の規定値以上となる他の制御ビットを求める。
【００３９】
第一の規定値以上となった場合には（Ａ１２３のＹＥＳ）、先のＡ１１７からＡ１２０に至る粗いキャリブレーションにより、Tx−Rx間アイソレーションは目標（前記例では50dB）を満足しなかったとしても、短時間で大きく目標に近づいたことになる。このため、キャリブレーション部を備えた増幅器８０００の詳細キャリブレーションを実施する(Ａ１２４)。
詳細キャリブレーションでは、振幅調整部８５、位相調整部８４およびバイアス調整部８３の特性を制御するビットの設定を、前記した粗いキャリブレーションで定められた値の近傍において狭い範囲で変更する。これにより、粗いキャリブレーションにおいて短時間で改善された利用周波数Bandの送信帯域と受信帯域のTx−Rx間アイソレーションを、さらに改善する。
【００４０】
詳細キャリブレーションでは、Txフィルタ８１３２とRxフィルタ８７３１の利用周波数Bandを実際に送受信を行う際の設定に戻し、アイソレーションの値（例えば50dB）を測定する。目的とする特性そのものを測定するため、アイソレーションを精度の良く設定できる。一般にはアイソレーションの値を測定するには時間を要するが、既に前記制御ビットは粗いキャリブレーションにより最適値に近い値となっているため、最適値に到るまでの時間を短くすることができる。
このようにして詳細キャリブレーションが実施されたチューナブルデュプレクサモジュール７のTx−Rx間アイソレーション特性を取得し、利用周波数Bandの送信帯域と受信帯域のTx−Rx間アイソレーションが共に第二の規定値以上であるか否かの判定を行う(Ａ１２５)。第二の規定値以下である場合、再びキャリブレーション部を備えた増幅器８０００の詳細キャリブレーション(Ａ１２４)に戻り、第二の規定値以上となる他の制御ビットを求める。
【００４１】
第二の規定値以上となった場合には、目標を達成したためキャリブレーションを終了する(Ａ１２６)。
尚、前記したように、第二の規定値は例えばTx−Rx間アイソレーション50dB以上といった要求性能とし、一方、第一の規定値はそれに準ずるものとし、例えばTx−Rx間アイソレーション45dBとし、Ａ１２４からＡ１２５における振幅、位相およびバイアス電圧の調整で要求性能50dBに到達できる値とすると良い。
【００４２】
図４、図５、図６にそれぞれBand18、Band5、Band8のTxフィルタ特性(Ｂ１０３、Ｂ１１２、Ｂ１２１)、Rxフィルタ特性(Ｂ１０４、Ｂ１１３、Ｂ１２２)、チューナブルデュプレクサモジュール７のTx−Rx間アイソレーション特性(Ｂ１０７、Ｂ１１６、Ｂ１２５)を示す。フィルタの周波数Band切替部、キャリブレーション部を備えた増幅器８０００の振幅調整部８５、位相調整部８４、バイアス調整部８３を図３のフローチャートに従って調整することにより、図４では815MHz〜830MHzの送信帯域(Ｂ１０１)のチャネル帯域幅(LTE5MHz) (Ｂ１０５)において50dB以上のアイソレーションを得ており(Ｂ１０８)、860MHz〜875MHzの受信帯域(Ｂ１０２)のチャネル帯域幅(LTE5MHz) (Ｂ１０６)において50dB以上のアイソレーションを得ている(Ｂ１０９)。
【００４３】
また図５では824MHz〜849MHzの送信帯域(Ｂ１１０)のチャネル帯域幅(WCDMA3.84MHz) (Ｂ１１４)において50dB以上のアイソレーションを得ており(Ｂ１１７)、869MHz〜894MHzの受信帯域(Ｂ１１１)のチャネル帯域幅(WCDMA3.84MHz) (Ｂ１１５)において50dB以上のアイソレーションを得ている(Ｂ１１８)。
また図６では880MHz〜915MHzの送信帯域(Ｂ１１９)のチャネル帯域幅(WCDMA3.84MHz) (Ｂ１２３)において50dB以上のアイソレーションを得ており(Ｂ１２６)、925MHz〜960MHzの受信帯域(Ｂ１２０)のチャネル帯域幅(WCDMA3.84MHz) (Ｂ１２４)において50dB以上のアイソレーションを得ている(Ｂ１２７)。よって複数の周波数Bandにおいて、一般的なデュプレクサと同等以上の特性が得られている。
【００４４】
図７にキャリブレーション実施前のBand18のTxフィルタ特性(Ｂ１３０)、Rxフィルタ特性(Ｂ１３１)、Tx−Rx間アイソレーション特性(Ｂ１３４)を示す。815MHz〜830MHzの送信帯域(Ｂ１２８)のチャネル帯域幅(LTE5MHz) (Ｂ１３２)においてアイソレーションは50dB以下となり(Ｂ１３５)、860MHz〜875MHzの受信帯域(Ｂ１２９)のチャネル帯域幅(LTE5MHz) (Ｂ１３３)においてアイソレーションは50dB以下となる(Ｂ１３６)。
キャリブレーションを実施する前は、図７に示すような要求性能を満たさないアイソレーションであっても、本実施例におけるキャリブレーションを行うことにより、図４で示したように、送信帯域と受信帯域の双方で目標とする50dB以上のアイソレーションを得られることが分かる。
【００４５】
次に、図８、図９を用い、図３のフローチャートの過程で得られる特性に基づいて本実施例の説明をする。
【００４６】
図８の（ａ）にチューナブルフィルタ３のTxフィルタ特性(Ｂ１３７)、Rxフィルタ特性(Ｂ１３８)、Tx−Rx間アイソレーション特性(Ｂ１３９)および位相特性(Ｂ１４０)を示す。
図８の（ｂ）にキャンセラ８のTx−Rx間アイソレーション特性(Ｂ１４５)および位相特性(Ｂ１４６)を示す。キャンセラ８のTx−Rx間アイソレーション特性(Ｂ１４５)および位相特性(Ｂ１４６)を取得する際には、図３のフローチャートの説明で述べたように、チューナブルフィルタ７３の利用Band帯域を抑圧帯域に設定しているため、Txフィルタ特性(Ｂ１４３)は815MHz〜830MHzの送信帯域(Ｂ１４１)において抑圧帯域に、Rxフィルタ特性(Ｂ１４４)は860MHz〜875MHzの受信帯域(Ｂ１４２)において抑圧帯域となる。
【００４７】
図８の（ａ）のＢ１３９とＢ１４０は、図３に示すフローチャートにおけるＡ１０９で保存された特性である。また、図８の（ｂ）のＢ１４５とＢ１４６は、図３に示すフローチャートにおけるＡ１１８で取得され、Ａ１１９で振幅差と位相差を導出するために使用される。これらはネットワークアナライザ等の測定器を用いて取得できるが、移動通信端末内で取得する場合には、利用Band帯域の変調信号を用いると良い。例えば非特許文献３に示すようにLTEのアップリンク信号は、伝送路特性をモニタすることを目的とする変調された基準信号を含むため、その基準信号を用いることでチューナブルフィルタ３の伝送路特性として例えば振幅変化量と位相変化量を取得できる。またチューナブルフィルタ３を利用Band帯域が抑圧帯域となるように設定することにより、キャンセラ８の伝送路特性として例えば振幅変化量と位相変化量を取得できる。取得したチューナブルフィルタ３の振幅変化量と位相変化量、キャンセラ８の振幅変化量と位相変化量より、振幅差と位相差を求めることができる。振幅差は小さいほど、位相差は１８０度に近いほど、良好なキャンセル効果が望める。
【００４８】
尚、キャンセラ８の伝送路特性を取得するため、チューナブルフィルタ３は利用Band帯域を抑圧帯域としている。キャンセラ８の実動作時(チューナブルフィルタ３は利用Band帯域に最適になるように設定)の伝送路特性と、取得した伝送路特性は必ずしも一致しない。
しかしながら、おおよその収束点を見つけることができるため、振幅調整、位相調整、バイアス電圧調整を目標なくして実施する時に比べてキャリブレーション収束時間は短縮される効果がある。
また伝送路特性を取得する際には、外部に電波が放射されることを防ぐため、アンテナSW２をOFFにする等の措置が必要である。
【００４９】
図９に図３で示したフローチャートに従ってキャリブレーションを実施し、Ａ１２５での判定がＹＥＳである場合の、Band18のTxフィルタ特性(Ｂ１４７)、Rxフィルタ特性(Ｂ１４８)、Tx−Rx間アイソレーション特性(Ｂ１５１)を示す。素子ばらつき、電源電圧変動および温度変動による性能劣化を高精度で補償することができるため、815MHz〜830MHzの送信帯域(Ｂ１４５)のチャネル帯域幅(LTE5MHz)(Ｂ１４９)においてアイソレーションは50dB以上となり(Ｂ１５２)、860MHz〜875MHzの受信帯域(Ｂ１４６)のチャネル帯域幅(LTE5MHz)(Ｂ１５０)においてアイソレーションは50dB以上となる(Ｂ１５３)。即ち、本実施例によれば、チューナブル対応のデュプレクサを使用する場合においても、複数の周波数Bandにおいて従来の一般的なデュプレクサと同等か、それ以上のTx−Rx間アイソレーション特性を得ることができるという効果がある。
なお、図９と先の図４はともにBand18の特性であるが、特性を取得した際の周辺環境が異なり、例えば温度が低温であるために細部で若干の違いがあるが、いずれも目標性能を満足する特性を得ている。
【００５０】
図１０は、本実施例を移動通信端末に適用したブロック図を示す。マルチバンドの例としてBand1、2、4、5、8、18を受信する場合、800M〜900MHz帯のBand5、8、18をLow Band、1700M〜2100MHz帯のBand1、2、4をHigh Bandとして端末を構成する。
移動通信端末１９は、アンテナ１、アンテナSW２、チューナブルデュプレクサモジュール７００、チューナブルデュプレクサモジュール８００、RFIC６、LNA７０５、PA７０６、LNA８０５、PA８０６、制御部７０７、変復調部１４、CPU１５、メモリ１６、入力部１７、出力部１８より構成される。
【００５１】
例えばチューナブルデュプレクサモジュール７００をHigh Band対応、チューナブルデュプレクサモジュール８００をLow Band対応とすると良い。
チューナブルデュプレクサモジュール７００は、チューナブルフィルタ７０１、キャンセラ７０４、遅延素子７０２、遅延素子７０３で構成され、一方チューナブルデュプレクサモジュール８００は、チューナブルフィルタ８０１、キャンセラ８０４、遅延素子８０２、遅延素子８０３で構成され、共に制御部７０７より制御される。
【００５２】
チューナブルフィルタ３の伝送路特性およびキャンセラ８の伝送路特性を得るまでの処理(Ａ１０９およびＡ１１８)について図１０を用いて説明する。変復調部１４で生成されるLTEのアップリンク信号の１つである基準信号は、RFIC６にて送信帯にアップコンバートおよび所定のレベルまで増幅される。続いてPA７０６あるいはPA８０６にて所定のレベルまで増幅され、チューナブルデュプレクサモジュール７００あるいはチューナブルデュプレクサモジュール８００に入力される。チューナブルデュプレクサモジュール７００あるいはチューナブルデュプレクサモジュール８００から出力された基準信号は、LNA７０５あるいはLNA８０５を経由して、RFIC６に入力される。RFIC６では送信帯からベースバンド帯へダウンコンバートされ、元の基準信号で複素除算することにより、基準信号に対する伝送路特性を得ることができる。前述の通り、チューナブルフィルタ３の伝送路特性を得る(Ａ１０９)際はキャンセラ８の電源をOFFに、キャンセラ８の伝送路特性を得る(Ａ１１８)際はTxフィルタ８１３２とRxフィルタ８７３１の利用周波数Bandが抑圧帯域になるように設定されている。
【実施例２】
【００５３】
図１１は、第２の実施例における移動通信端末用モジュールの構成例を示すブロック図である。送信信号と受信信号の流れは実施例１と同じであるため説明を省略する。ここではPA６２出力の送信信号の漏洩成分をキャンセルするための信号をキャンセラ８で、受信帯域の熱雑音の漏洩成分をキャンセルするための信号をキャンセラ９で生成する。キャンセラ８は受信帯域の熱雑音を除去するNoise Canceller８８、キャンセラ９は送信信号を除去するTx Canceller９８を備える。
【００５４】
以下にキャンセラ８、キャンセラ９を構成するブロックについて詳細に説明する。
送信側結合器８９は送信系に対して疎結合にすることによって、約10dB減衰した送信信号と受信帯域の熱雑音をキャンセラ８内に引き込んでいる。一方、受信側結合器８０は受信系に対して疎結合にすることによって、振幅、位相の調整がされた送信信号を約10dB減衰させた後にチューナブルフィルタ３出力の受信系に合成する。Rxフィルタ８７では送信信号が約30dB減衰され、Txフィルタ８１では受信帯域の熱雑音が約30dB減衰される。
【００５５】
キャリブレーション部を備えた増幅器８００１は、引き込んだ送信信号と同一振幅、逆位相となる信号を精度良く生成するため、入力端にマッチング部８６、出力端にマッチング部８２を備え、振幅調整部８５、位相調整部８４、バイアス調整部８３を備える。振幅調整部８５、位相調整部８４、バイアス調整部８３の順番については一例であって、これに限定されるものではない。
Noise Canceller８８は、移相器と合成器で構成すると良い。PA６２出力の受信帯域の熱雑音は移相器にて180度反転され、合成器にて受信帯域の熱雑音はキャンセルされ、位相反転のない送信信号は通過する。
【００５６】
一方、送信側結合器９９は送信系に対して疎結合にすることによって、約10dB減衰した送信信号と受信帯域の熱雑音をキャンセラ９内に引き込んでいる。一方、受信側結合器９０は受信系に対して疎結合にすることによって、振幅、位相の調整がされた受信帯域の熱雑音を約10dB減衰させた後にチューナブルフィルタ３の出力の受信系に合成する。Rxフィルタ９７では送信信号が約30dB減衰され、Txフィルタ９１では受信帯域の熱雑音が約30dB減衰される。
【００５７】
キャリブレーション部を備えた増幅器９００１は、引き込んだ送信信号と同一振幅、逆位相となる信号を精度良く生成するため、入力端にマッチング部９６、出力端にマッチング部９２を備え、振幅調整部９５、位相調整部９４、バイアス調整部９３を備える。振幅調整部９５、位相調整部９４、バイアス調整部９３の順番については一例であって、これに限定されるものではない。
Tx Canceller９８は、移相器と合成器で構成すると良い。PA６２出力の送信信号は移相器にて180度反転され、合成器にて送信信号はキャンセルされ、位相反転のない受信帯域の熱雑音は通過する。
【００５８】
チューナブルデュプレクサモジュール７のキャリブレーションを実施するにあたって、実施例１と同様に、まずチューナブルフィルタ３のキャリブレーションを実施する。そのキャリブレーション後にチューナブルフィルタ３のTx−Rx間アイソレーション特性を、チューナブルデュプレクサモジュール７あるいはRFIC６が備えるメモリに保存する。続いてキャンセラ８とキャンセラ９のキャリブレーションを実施する際は、キャンセラ８のTx−Rx間アイソレーション特性、キャンセラ９のTx−Rx間アイソレーション特性をそれぞれ取得する。取得する際、チューナブルフィルタ３は利用Band帯域が抑圧帯域になるように設定し、更にキャンセラ８とキャンセラ９間の干渉が発生しないよう、どちらか一方の電源はOFFとされる。取得したチューナブルフィルタ３の振幅変化量と位相変化量、キャンセラ８の振幅変化量と位相変化量、キャンセラ９の振幅変化量と位相変化量より、振幅差と位相差を求めることができる。求めた振幅差と位相差に基づいて、振幅調整、位相調整、バイアス電圧調整を実施する。
【００５９】
本実施例では、PA６２出力の送信信号をキャンセルするための信号をキャンセラ８で、受信帯域の熱雑音をキャンセルするための信号をキャンセラ９で生成するため、キャンセラ１つあたりがカバーする帯域が小さくて済む。そのため、キャンセル量の精度を向上できるという特徴がある。
【実施例３】
【００６０】
図１２は、第３の実施例における移動通信端末用モジュールの構成例を示すブロック図である。送信信号と受信信号の流れは実施例１と同じであるため説明を省略する。ここではPA６２出力の送信信号の漏洩成分と受信帯域の熱雑音の漏洩成分をキャンセルするための信号をキャンセラ８で生成するが、キャンセラ８内部で信号経路を分岐させて、一方では送信信号、他方では受信帯域の熱雑音をキャンセルするための信号を生成する。送信信号をキャンセルするための信号を生成する系には受信帯域の熱雑音を除去するNoise Canceller８３７、受信帯域の熱雑音をキャンセルするための信号を生成する系には送信信号を除去するTx Canceller８３９を備える。
【００６１】
以下にキャンセラ８の構成するブロックについて詳細に説明する。
送信側結合器８９は送信系に対して疎結合にすることによって、約10dB減衰した送信信号と受信帯域の熱雑音をキャンセラ８内に引き込んでいる。一方、受信側結合器８０は受信系に対して疎結合にすることによって、振幅、位相、遅延の調整がされた送信信号と受信帯域の熱雑音を約10dB減衰させた後にチューナブルフィルタ３出力の受信系に合成する。Rxフィルタ８７では送信信号が約30dB減衰され、Txフィルタ８１では受信帯域の熱雑音が約30dB減衰される。Rxフィルタ８７出力には分配器８３８が接続され、一方はNoise Canceller８３７、他方はTx Canceller８３９へ分岐される。Txフィルタ８１入力には合成器８３１が接続され、分岐された系を合成している。キャリブレーション部を備えた増幅器８００２は、引き込んだ送信信号と同一振幅、逆位相となる信号を精度良く生成するため、入力端にマッチング部８３６、出力端にマッチング部８３２を備え、振幅調整部８３５、位相調整部８３４、バイアス調整部８３３を備える。振幅調整部８３５、位相調整部８３４、バイアス調整部８３３の順番については一例であって、これに限定されるものではない。
【００６２】
一方、キャリブレーション部を備えた増幅器９００２は、引き込んだ送信信号と同一振幅、逆位相となる信号を精度良く生成するため、入力端にマッチング部８４０、出力端にマッチング部８４４を備え、振幅調整部８４１、位相調整部８４２、バイアス調整部８４３を備える。振幅調整部８４１、位相調整部８４２、バイアス調整部８４３の順番については一例であって、これに限定されるものではない。
Noise Canceller８３７は、移相器と合成器で構成すると良い。分配器８３８出力の受信帯域の熱雑音は移相器にて180度反転され、合成器にて受信帯域の熱雑音はキャンセルされ、位相反転のない送信信号は通過する。
Tx Canceller８３９は、移相器と合成器で構成すると良い。分配器８３８出力の送信信号は移相器にて180度反転され、合成器にて送信信号はキャンセルされ、位相反転のない受信帯域の熱雑音は通過する。
【００６３】
チューナブルデュプレクサモジュール７のキャリブレーションを実施するにあたって、実施例１と同様に、まずチューナブルフィルタ３のキャリブレーションを実施する。そのキャリブレーション後にチューナブルフィルタ３のTx−Rx間アイソレーション特性をチューナブルデュプレクサモジュール７あるいはRFIC６が備えるメモリに保存する。続いてキャンセラ８のキャリブレーションを実施する際は、キャンセラ８のTx−Rx間アイソレーション特性を取得する。取得する際、チューナブルフィルタ３は利用Band帯域が抑圧帯域になるように設定し、更にキャリブレーション部を備えた増幅器８００２と増幅器９００２間の干渉が発生しないよう、どちらか一方の電源はOFFとされる。取得したチューナブルフィルタ３の振幅変化量と位相変化量、キャンセラ８の振幅変化量と位相変化量より、振幅差と位相差を求めることができる。求めた振幅差と位相差に基づいて、振幅調整、位相調整、バイアス電圧調整を実施する。
【００６４】
本実施例ではPA６２出力の送信信号と受信帯域の熱雑音をキャンセラ８内で別々に処理するため、広帯域増幅器1つあたりがカバーする帯域が小さくて済む。そのため、キャンセル量の精度を向上できる。また送信側結合器と受信側結合器が一つずつで済むため、送信系と受信系の通過損失を低減できるという特徴がある。
【符号の説明】
【００６５】
１：アンテナ、２：アンテナSW、３，７０１，８０１：チューナブルフィルタ、３１，８７，９７：Rxフィルタ、３２，８１，９１：Txフィルタ、８，９，７０４，８０４：キャンセラ、８０，９０：受信側結合器、８９，９９：送信側結合器、８０００，８００１，８００２，９００１，９００２：キャリブレーション部を備えた増幅器、８２，８６，９２，９６，８３２，８３６，８４０，８４４，８１０１，８１０４：マッチング部、５，７０７：制御部、６：RFIC、７，７００，８００：チューナブルデュプレクサモジュール、１０，１１，７０２，７０３，８０２，８０３：遅延素子、１４：変復調部、１５：CPU、１６：メモリ、１７：入力部、１８：出力部、１９：移動通信端末、６１，７０５，８０５：LNA、６２，７０６，８０６：PA、８８，８３７：Noise Canceller、９８，８３９：Tx Canceller、８１０２，８１０５：位相調整部、８１０３：振幅調整部、８１０６，８１０７：バイアス調整部、８１０８，８１１１：インダクタ、８１０９，８１１０：NMOSトランジスタ、８３１：合成器、８３８：分配器。
【図１】
2013128161.tif 000003
【図２】
2013128161.tif 000004
【図３】
2013128161.tif 000005
【図４】
2013128161.tif 000006
【図５】
2013128161.tif 000007
【図６】
2013128161.tif 000008
【図７】
2013128161.tif 000009
【図８】
2013128161.tif 000010
【図９】
2013128161.tif 000011
【図１０】
2013128161.tif 000012
【図１１】
2013128161.tif 000013
【図１２】
2013128161.tif 000014